(57)【特許請求の範囲】
【請求項１】
一駒の画像を所定の画像データ量をもつ単位画像データによって表わし，上記単位画像データの記録領域の大きさおよび上記単位画像データを記録するために要する記録時間があらかじめそれぞれ定められ，上記記録時間の周期で上記単位画像データを順次記録媒体に記録するディジタル画像データ記録装置において，
上記単位画像データを記録することとは区別される高画質スチル画を記録するモードを選択的に設定する記録方式モード設定手段，
上記記録方式モード設定手段によって上記高画質スチル画記録モードが設定されていることに応じて，上記単位画像データの画像データ量のｎ倍のデータ量をもつ画像データを入力する入力手段，
上記入力手段から得られた画像データを，それぞれが一駒の画像を表わすようにｎ個の単位画像データに分割する画像データ分割手段，
上記画像データ分割手段によって分割された画像データに関して，上記記録方式モード設定手段に設定された記録方式モード，画像データの分割方法および何番目に分割されたものかを表わすデータを含む画像データに関する情報を生成する画像データ情報生成手段，
上記画像データ分割手段によって分割されたｎ個の単位画像データを，ｎ個の記録領域にわたってｎ倍の記録時間で，上記記録媒体に記録する記録手段，ならびに
上記画像データ情報生成手段によって生成された画像データに関する情報を，上記単位画像データ記録領域以外の補助記録領域に記録する画像データ情報記録手段，
を備えたディジタル画像データ記録装置。
【請求項２】
上記入力手段が，被写体を撮像することにより，被写体像を表わし，上記単位画像データの画像データ量のｎ倍のデータ量をもつ画像データを出力する撮像手段である，請求項１に記載のディジタル画像データ記録装置。
【請求項３】
上記撮像手段が，一駒の画像について上記単位画像データの画像データ量のｎ倍のデータ量を生成する単板の固体電子撮像素子を含み，上記固体電子撮像素子を用いて被写体を撮像して得られた被写体像を表わす画像データを出力するものである，
請求項２に記載のディジタル画像データ記録装置。
【請求項４】
上記撮像手段が，３枚の固体電子撮像素子を含み，これら３枚の固体電子撮像素子から出力される画像データを合成することにより，被写体像を表わし，上記単位画像データの画像データ量のｎ倍のデータ量をもつ画像データを生成して出力するものである，
請求項２に記載のディジタル画像データ記録装置。
【請求項５】
上記記録媒体から画像データおよび画像データに関する情報を読取る読取手段，ならびに
上記読取手段により読取られた画像データに関する情報にもとづいて，上記読取手段によって読取られた，一駒の画像データからの分割により生成されたｎ個の単位画像データを合成することにより一駒の静止画像を表わす画像データを生成する静止画像生成手段，
をさらに備えた請求項１に記載のディジタル画像データ記録装置。
【請求項６】
上記記録媒体から画像データおよび画像データに関する情報を読取る読取手段，
スチル再生モードとムービ再生モードとを選択的に設定する再生モード設定手段，
スチル再生モードが設定されているときに，上記読取手段により読取られた画像データに関する情報にもとづいて，上記読取手段によって読取られた，一駒の画像データの分割により生成されたｎ個の単位画像データを合成することにより一駒の静止画像を表わす画像データを生成する静止画像生成手段，ならびに
ムービ再生モードが設定されているときに，上記読取手段によって読取られた単位画像データを表示に適した信号に変換して上記記録時間の周期で順次出力する動画生成手段，
をさらに備えた請求項１に記載のディジタル画像データ記録装置。
【請求項７】
一駒の画像を所定の画像データ量をもつ単位画像データによって表わし，上記単位画像データの記録領域の大きさおよび上記単位画像データを記録するために要する記録時間があらかじめ規定され，上記単位画像データを記録することとは区別される高画質スチル画を記録する高画質スチル画記録モードが選択的に設定されることに応じて入力される，上記単位画像データのデータ量のｎ倍のデータ量をもち，一駒の画像を表わす画像データを，上記規定にしたがって，それぞれが一駒の画像を表わすようにｎ個の単位画像データに分割した上で，これらのｎ個の単位画像データが上記記録時間の周期で順次記録されており，かつ上記ｎ個の単位画像データに分割された画像データに関して，選択的に設定された上記高画質スチル画記録モードを含む記録方式モード，画像データの分割方法および何番目に分割されたものかを表わすデータを含む画像データに関する情報が，上記単位画像データの記録領域以外の補助記録領域に記録された記録媒体から，上記一駒の画像を再生するためのディジタル画像データ再生装置であり，
上記記録媒体から画像データおよび画像データに関する情報を読取る読取手段，ならびに
上記読取手段により読取られた画像データに関する情報にもとづいて，上記読取手段によって読取られた，一駒の画像データからの分割により生成されたｎ個の単位画像データを合成することにより一駒の静止画像を表わす画像データを生成する静止画像生成手段，
を備えたディジタル画像データ再生装置。
【請求項８】
一駒の画像を所定の画像データ量をもつ単位画像データによって表わし，上記単位画像データの記録領域の大きさおよび上記単位画像データを記録するために要する記録時間があらかじめ規定され，上記単位画像データを記録することとは区別される高画質スチル画を記録する高画質スチル画記録モードが選択的に設定されることに応じて入力される，上記単位画像データのデータ量のｎ倍のデータ量をもち，一駒の画像を表わす画像データを，この規定にしたがって，それぞれが一駒の画像を表わすようにｎ個の単位画像データに分割した上で，これらのｎ個の単位画像データが上記記録時間の周期で順次記録されており，かつ上記ｎ個の単位画像データに分割された画像データに関して，選択的に設定された上記高画質スチル記録画モードを含む記録方式モード，画像データの分割方法および何番目に分割されたものかを表わすデータを含む画像データに関する情報が，上記単位画像データの記録領域以外の補助記録領域に記録された記録媒体から，上記一駒の画像を再生するためのディジタル画像データ再生装置であり，
上記記録媒体から画像データおよび画像データに関する情報を読取る読取手段，
スチル再生モードとムービ再生モードを選択的に設定する再生モード設定手段，
スチル再生モードが設定されているときに，上記読取手段により読取られた画像データに関する情報にもとづいて，上記読取手段によって読取られた，一駒の画像データの分割により生成されたｎ個の単位画像データを合成することにより一駒の静止画像を表わす画像データを生成する静止画像生成手段，ならびに
ムービ再生モードが設定されているときに，上記読取手段によって読取られた単位画像データを表示に適した信号に変換して上記記録時間の周期で順次出力する動画生成手段，
を備えたディジタル画像データ再生装置。
【請求項９】
一駒の画像を所定の画像データ量をもつ単位画像データによって表わし，上記単位画像データの記録領域の大きさおよび上記単位画像データを記録するために要する記録時間があらかじめそれぞれ定められ，上記記録時間の周期で上記単位画像データを順次記録媒体に記録するディジタル画像データ記録装置において，
上記単位画像データを記録することとは区別される高画質スチル画を記録するモードを選択的に設定し，
上記高画質スチル画記録モードが設定されていることに応じて，上記単位画像データの画像データ量のｎ倍のデータ量をもつ画像データを得，
得られた画像データを，それぞれが一駒の画像を表わすようにｎ個の単位画像データに分割し，
分割によって得られたｎ個の単位画像データに関して，選択的に設定された上記高画質スチル画記録モードを含む記録方式モード，画像データの分割方法および何番目に分割されたものかを表わすデータを含む画像データに関する情報を生成し，
分割によって得られたｎ個の単位画像データを，ｎ個の記録領域にわたってｎ倍の記録時間で，上記記録媒体に記録し，
生成したｎ個の単位画像データに関する情報を，上記記録媒体の，上記単位画像データ記録領域以外の補助記録領域に記録する，
ディジタル画像データの記録方法。
【請求項１０】
被写体を撮像することにより，被写体像を表わし，上記単位画像データの画像データ量のｎ倍のデータ量をもつ画像データを得るものである，請求項９に記載のディジタル画像データの記録方法。
【請求項１１】
一駒の画像について上記単位画像データの画像データ量のｎ倍のデータ量を生成する単板の固体電子撮像素子を用いて被写体を撮像することにより，被写体像を表わす画像データを得る，請求項10に記載のディジタル画像データの記録方法。
【請求項１２】
３枚の固体電子撮像素子を用いて被写体を撮像し，これら３枚の固体電子撮像素子から出力される画像データを合成することにより，上記単位画像データの画像データ量のｎ倍のデータ量を生成し，被写体像を表わす画像データを得るものである，
請求項10に記載のディジタル画像データの記録方法。
【請求項１３】
一駒の画像を所定の画像データ量をもつ単位画像データによって表わし，上記単位画像データの記録領域の大きさおよび上記単位画像データを記録するために要する記録時間があらかじめ規定され，上記単位画像データを記録することとは区別される高画質スチル画を記録する高画質スチル画記録モードが選択的に設定されることに応じて入力される，上記単位画像データのデータ量のｎ倍のデータ量をもち，一駒の画像を表わす画像データを，この規定にしたがって，それぞれが一駒の画像を表わすようにｎ個の単位画像データに分割した上で，これらのｎ個の単位画像データが上記記録時間の周期で順次記録されており，かつ上記ｎ個の単位画像データに分割された画像データに関して，選択的に設定された上記高画質スチル画記録モードを含む記録方式モード，画像データの分割方法および何番目に分割されたものかを表わすデータを含む画像データに関する情報が，上記単位画像データの記録領域以外の補助記録領域に記録された記録媒体から，上記一駒の画像を再生するためのディジタル画像データ再生方法であり，
上記記録媒体から画像データおよび画像データに関する情報を読取り，
読取られた画像データに関する情報にもとづいて，読取られた，一駒の画像データからの分割により生成されたｎ個の単位画像データを合成することにより一駒の静止画像を表わす画像データを生成する，
ディジタル画像データ再生方法。
【請求項１４】
一駒の画像を所定の画像データ量をもつ単位画像データによって表わし，上記単位画像データの記録領域の大きさおよび上記単位画像データを記録するために要する記録時間があらかじめ規定され，上記単位画像データを記録することとは区別される高画質スチル画を記録する高画質スチル画記録モードが選択的に設定されることに応じて入力される，上記単位画像データのデータ量のｎ倍のデータ量をもち，一駒の画像を表わす画像データを，この規定にしたがって，それぞれが一駒の画像を表わすようにｎ個の単位画像データに分割した上で，これらのｎ個の単位画像データが上記記録時間の周期で順次記録されており，かつ上記ｎ個の単位画像データに分割された画像データに関して，選択的に設定された上記高画質スチル画記録モードを含む記録方式モード，画像データの分割方法および何番目に分割されたものかを表わすデータを含む画像データに関する情報が，上記単位画像データの記録領域以外の補助記録領域に記録された記録媒体から，上記一駒の画像を再生するためのディジタル画像データ再生方法であり，
上記記録媒体から画像データおよび画像データに関する情報を読取り，
スチル再生モードとムービ再生モードを選択的に設定可能としておき，
スチル再生モードが設定されているときに，読取られた画像データに関する情報にもとづいて，読取られた，一駒の画像データの分割により生成されたｎ個の単位画像データを合成することにより一駒の静止画像を表わす画像データを生成し，
ムービ再生モードが設定されているときに，読取られた単位画像データを表示に適した信号に変換して上記記録時間の周期で順次出力する，
ディジタル画像データ再生方法。
【発明の詳細な説明】
【０００１】
【技術分野】
この発明はディジタル・ビデオ・テープ・レコーダ（ＤＶＴＲ），ディジタル・カメラ等を含むディジタル画像データ記録装置，ＤＶＴＲにおけるディジタル画像データの記録方法，ならびにこのＤＶＴＲまたはこの記録方法によって磁気テープに記録されたディジタル画像データの再生装置および方法に関する。
【０００２】
【発明の背景】
ディジタル・ビデオ・テープ・レコーダ（ＤＶＴＲ）は，ＣＣＤのような固体電子撮像素子を用いて被写体を撮像し，撮像により得られた被写体像を表わす映像信号をディジタル画像データに変換して磁気テープに記録するものである。ディジタル・ビデオ・テープ・レコーダに用いられるＣＣＤは水平方向720 画素×垂直方向480 画素＝約35万画素のものが一般的である。ディジタル・ビデオ・テープ・レコーダにおいては２フィールドで１フレームを構成しフレーム画像を記録するフレーム記録と，１フィールドごとのフィールド画像を記録するフィールド記録とが可能である。フレーム記録の場合は所定のシャッタ速度で１／30秒の周期で連続的に撮影が行なわれ，フィールド記録の場合は所定のシャッタ速度で１／60秒の周期で連続的に撮影が行なわれる。フレーム記録およびフィールド記録のいずれにおいても１フレーム分の画像データは１／30秒の時間をかけて，かつ10トラックの記録領域を用いて磁気テープに記録される。
【０００３】
このようにディジタル・ビデオ・テープ・レコーダにおいては，35万画素のＣＣＤを用いて被写体を撮影して得られるディジタル画像データのうち１フレーム分の画像データを１／30秒かけて10トラックに記録するのが一般的であり，この記録方式が業界における標準的な規格となっている（たとえば，NIKKEI ELECTRONICS BOOKS「データ圧縮とディジタル変調」第137 頁〜第152 頁，日経ＢＰ社，1993年を参照）。
【０００４】
一方，ディジタル・ビデオ・テープ・レコーダによって磁気テープに記録される画像の画質は，ＣＣＤの画素数に依存し，ＣＣＤの画素数が多ければ多いほど向上する。しかしながら，画質を向上させるために画素数の多いＣＣＤを用い，このＣＣＤから得られた画像データを磁気テープに記録したとすると，１フレーム分の画像データの記録に１／30秒以上の時間，10トラック以上の記録領域が必要となりディジタル・ビデオ・テープ・レコーダの上述した規格に合わなくなってしまう。
【０００５】
35万画素程度のＣＣＤを用いて撮影して得られる１フレーム分の画像データの画像データ量以上の量をもつ画像データを，磁気テープに記録するには１フレーム分の画像データを記録するのに用いられるトラックよりも多いトラックを用いて記録すればよい。
【０００６】
しかしながら，ディジタル・ビデオ・テープ・レコーダの規格に定まっている，１フレーム分の画像データの記録に用いられるトラック数よりも多くのトラックを用いて画像データを記録すると，どこのトラックに１画像分の画像データが記録されているかわからなくなることがある。このために迅速な画像再生ができないばかりか，正確な画像再生ができなくなることがある。
【０００７】
【発明の開示】
この発明は，ディジタル・ビデオ・テープ・レコーダの規格に合致した単位画像データのデータ量よりも多い量をもつ画像データを，単位画像データを記録するのに用いられるトラックよりも多いトラックを用いて記録した場合でも，迅速にかつ正確に画像再生をすることができるようにすることを目的とする。
【０００８】
第１の発明は，一駒の画像を所定の画像データ量をもつ単位画像データによって表わし，上記単位画像データの記録領域の大きさおよび上記単位画像データを記録するために要する記録時間があらかじめそれぞれ定められ，上記記録時間の周期で上記単位画像データを順次記録媒体に記録するディジタル画像データ記録装置において，上記単位画像データのデータ量のｎ倍のテータ量をもつ画像データを入力する入力手段，上記入力手段から得られた画像データを，それぞれが一駒の画像を表わすようにｎ個の単位画像データに分割する画像データ分割手段，上記画像データ分割手段によって分割された画像データに関する情報を生成する画像データ情報生成手段，上記画像データ分割手段によって分割されたｎ個の単位画像データを，ｎ個の記録領域にわたってｎ倍の記録時間で，上記記録媒体に記録する記録手段，および上記画像データ情報生成手段によって生成された画像データに関する情報を，上記単位画像データ記録領域以外の補助記録領域に記録する画像データ情報記録手段を備えていることを特徴とする。
【０００９】
第１の発明はディジタル画像データの記録方法も提供している。この記録方法は，一駒の画像を所定の画像データ量をもつ単位画像データによって表わし，上記単位画像データの記録領域の大きさおよび上記単位画像データを記録するために要する記録時間があらかじめそれぞれ定められ，上記記録時間の周期で上記単位画像データを順次記録媒体に記録するディジタル画像データ記録装置において，上記単位画像データの画像データ量のｎ倍のデータ量をもつ画像データを得，得られた画像データを，それぞれが一駒の画像を表わすようにｎ個の単位画像データに分割し，分割によって得られたｎ個の単位画像データに関する情報を生成し，分割によって得られたｎ個の単位画像データを，ｎ個の記録領域にわたってｎ倍の記録時間で，上記記録媒体に記録し，生成したｎ個の単位画像データに関する情報を，上記記録媒体の，上記単位画像データ記録領域以外の補助記録領域に記録することを特徴とする。
【００１０】
好ましい実施態様ではムービ記録モードとスチル記録モードが設けられ，上記の記録方法はスチル記録モードが設定されたときに実行される。後述するように，スチル記録モードで記録された画像データに基づいて動画の再生も可能である。
【００１１】
単位画像データは上述した現在の業界規格でいえば１フレーム画像データに相当する。
【００１２】
テレビジョンなどの他の画像データ処理装置から出力される画像データを入力し，上記単位画像データの画像データ量のｎ倍のデータ量をもつ画像データを得てもよいし，ディジタル画像データ記録装置に撮像手段を備え，この撮像手段を用いて被写体を撮像することにより，被写体像を表わし，上記単位画像データの画像データの画像データ量のｎ倍のデータ量をもつ画像データを得てもよい。
【００１３】
一駒の画像について上記単位画像データの画像データ量のｎ倍のデータ量を生成する単板の固体電子撮像素子を用いて被写体を撮像し，被写体像を表わす画像データを得てもよいし，３枚の固体電子撮像素子を用いて被写体を撮像し，被写体像を表わし，上記単位画像データの画像データ量のｎ倍のデータ量をもつ画像データを得てもよい。
【００１４】
いずれにしても被写体像を表わし，上記単位画像データの画像データ量のｎ倍のデータ量をもつ画像データが得られるから，撮像の段階で高画質の画像の捕捉が行なわれる。
【００１５】
このようにして得られた高画質の画像を生じさせることのできる画像データを，既存の規格にしたがう記録方式と互換性を保ちながら，かつ画像データを損うことなく記録するために，この発明では，被写体像を表わす画像データがｎ個の単位画像データに分割される。分割により得られたｎ個の単位画像データは，規格の記録方式にしたがって記録媒体に記録されることになる。
【００１６】
このようにして，撮像により得られた高画質の画像データの画質がそのまま保存され，かつ従来の規格に合致した形で記録されることになる。
【００１７】
第１の発明においては分割されたｎ個の単位画像データに関する情報，たとえば画像データの分割方法，上記分割された画像データが記録される上記単位画像データ記録領域を表わす記録領域データ，何番めに分割されたものかを表わすデータ，または表示装置での画像データの表示方法もしくは挿入方法を表わすデータが生成され，記録媒体の補助記録領域に記録される。
【００１８】
画像の再生時には，分割された画像データに関する情報を得ることにより，たとえば，分割された画像データのうちどの画像データを用いれば正確な画像を再生することができるかがわかる。したがって，上記単位画像データのデータ量よりも多いデータ量をもつ画像データであっても正確に，かつ迅速に高画質の静止画を再生することができる。
【００１９】
画像データのｎ分割は，分割された画像データによって表わされる画像もまた一駒の画像を表現できるように行なわれる。分割により得られた一単位画像データによっても一駒の画像が表わされるから，一単位画像データごとに行なわれる動画の再生に適したものとなる。
【００２０】
この発明によるディジタル画像データの再生装置および方法は上述のようにして記録された記録媒体からの画像データの再生を行うものである。この再生装置および方法は，上述したディジタル画像データ記録装置に適用することもできるし，独立したディジタル画像データ再生装置として実現することもできる。
【００２１】
ディジタル画像データ再生装置を，静止画像の再生という観点から規定すると，上記記録媒体から画像データおよび画像データに関する情報を読取る読取手段，ならびに上記読取手段により読取られた画像データに関する情報にもとづいて，上記読取手段によって読取られた，一駒の画像データからの分割により生成されたｎ個の単位画像データを合成することにより一駒の静止画像を表わす画像データを生成する静止画像生成手段を備えているものとして特徴づけられる。
【００２２】
またディジタル画像データ再生方法は，上記記録媒体から画像データおよび画像データに関する情報を読取り，読取られた画像データに関する情報にもとづいて，読取られた，一駒の画像データからの分割により生成されたｎ個の単位画像データを合成することにより一駒の静止画像を表わす画像データを生成するものとして特徴づけられる。
【００２３】
ディジタル画像データを静止画と動画の再生として観点から規定すると，この再生装置は，上記記録媒体から画像データおよび画像データに関する情報を読取る読取手段，スチル再生モードとムービ再生モードを選択的に設定する再生モード設定手段，スチル再生モードが設定されているときに，上記読取手段により読取られた画像データに関する情報にもとづいて，上記読取手段によって読取られた，一駒の画像データの分割により生成されたｎ個の単位画像データを合成することにより一駒の静止画像を表わす画像データを生成する静止画像生成手段，ならびにムービ再生モードが設定されているときに，上記読取手段によって読取られた単位画像データを表示に適した信号に変換して上記記録時間の周期で順次出力する動画生成手段を備えているものとして特徴づけられる。
【００２４】
またディジタル画像データの再生方法は，上記記録媒体から画像データおよび画像データに関する情報を読取り，スチル再生モードとムービ再生モードを選択的に設定可能としておき，スチル再生モードが設定されているときに，読取られた画像データに関する情報にもとづいて，読取られた，一駒の画像データの分割により生成されたｎ個の単位画像データを合成することにより一駒の静止画像を表わす画像データを生成し，ムービ再生モードが設定されているときに，読取られた単位画像データを表示に適した信号に変換して上記記録時間の周期で順次出力するものとして特徴づけられる。
【００２５】
記録媒体の単位画像データ記録領域から画像データが読出され，単位画像データ記録領域と異なる補助領域から画像データに関する情報が読出される。画像データに関する情報にもとづいて，記録動作において一駒の画像データの分割により生成されかつ記録されたｎ個の単位画像データが一駒の元の静止画像を表わすように合成される。この合成された静止画像データが表示装置に与えられ表示されるか，またはプリンタに与えられ静止画像がプリントされる。一般的にはプリンタに静止画像データが与えられたときにのみ高画質なプリント画像を得るようにするとよい。
【００２６】
分割されたｎ個の単位画像データに関する情報にもとづいて静止画像が合成されるので，迅速かつ正確な静止画像の合成が可能である。
【００２７】
画素数の多い画像データがそのまま復元されるので高画質の静止画が得られることになる。
【００２８】
記録媒体から読出された画像データに基づいて動画の再生も可能であり，通常のディジタル・ビデオ・テープ・レコーダによって得られた動画の再生と同じように取扱うことができる。
【００２９】
【実施例の説明】
ディジタル・ビデオ・テープ・レコーダの構成および動作の説明に先だち，ディジタル・ビデオ・テープ・レコーダによる磁気テープへの記録方式に関する既存の標準的な業界規格について説明しておく。
【００３０】
磁気テープの記録フォーマットが図17(A) および(B) に示されている。図17(A) は磁気テープ８のトラックＴｒを示すもので，磁気テープ８の長手方向に対して斜め方向に一定の角度で多数のトラックＴｒが形成される。これらの多数のトラックＴｒのうち連続する10個のトラックを用いて１フレーム分のディジタル画像データが記録される。
【００３１】
図17(B) にトラック・フォーマットが示されている。１つのトラックＴｒには，サブコード記録領域，ビデオ記録領域，補助記録領域，オーディオ記録領域およびトラック情報記録領域が含まれている。サブコード記録領域には高速検索のためのタイムコードや絶対トラック番号などの情報が記録される。ビデオ記録領域には被写体像を表わすディジタル画像データが記録される。オーディオ記録領域には音を表わすデータが記録される。トラック情報記録領域には磁気ヘッドがトラックＴｒの中心をトレースするための，トラックＴｒの基準となる情報が記録される。補助記録領域は飛び飛びに設けられ，この補助記録領域には付加情報が記録される。後に詳述するこの発明の実施例においては，補助記録領域には，ビデオ記録領域に記録された画像データに関する情報が記録される。各領域の間に設けられるギャップは図示が省略されている。
【００３２】
ディジタル・ビデオ・テープ・レコーダに用いられるＣＣＤは一般的には（従来）水平方向720 画素，垂直方向480 画素の約35万画素の画素数をもつものが用いられる。このようなＣＣＤを用いて得られた１フレーム分のディジタル画像データが，磁気テープ８の10トラックに記録される。これが既存の規格である。
【００３３】
磁気テープ８に記録される画像データによって表わされる画像の画質を向上させるためには，画素数の多いＣＣＤを用いれば良い。しかしながら，ディジタル・ビデオ・テープ・レコーダにおいては水平方向720 画素，垂直方向480 画素の画像を表わすディジタル画像データを，10個のトラックに記録するようにその規格が定められているので，35万画素の画素数よりも画素数の多い画像を表わすディジタル画像データを磁気テープ８に記録すると，この規格から外れてしまう。この発明によるディジタル・ビデオ・テープ・レコーダは，35万画素の画素数よりも画素数の多い画像を表わす画像データを得，ディジタル・ビデオ・テープ・レコーダの従来からの記録規格に合致した画像データの記録を可能とするものである。
【００３４】
図１はこの発明の実施例を示すもので，ディジタル画像データの記録および再生が可能なディジタル・ビデオ・テープ・レコーダ（ＤＶＴＲ）の電気的構成を示すブロック図である。ディジタル・ビデオ・テープ・レコーダの全体の動作はシステム・コントローラ10によって統括される。
【００３５】
ディジタル・ビデオ・テープ・レコーダは，被写体の撮影に加えて磁気テープ８に記録された画像データの再生が可能である。また被写体の撮影は，ムービ撮影とスチル撮影とが可能である。これらのモードを設定するために，ディジタル・ビデオ・テープ・レコーダには操作パネル50が含まれている。
【００３６】
図２を参照して，操作パネル50には，ムービ撮影の準備を設定するためのムービ・スタンバイ・ボタン40，ムービ撮影の開始および終了を設定するためのムービ撮影スイッチ41，スチル撮影の準備を設定するためのスチル・スタンバイ・ボタン42，スチル撮影のシャッタ・レリーズ・ボタン43および高画質スチル撮影と通常画質スチル撮影とのうちいずれか一方のスチル撮影モードを選択するためのスチル・セレクト・スイッチ44が含まれている。スチル・シャッタ・レリーズ・ボタン43は二段ストローク・タイプのものである。また操作パネル50にはムービ再生の開始および終了を設定するためのムービ再生スイッチ45Ａ，高画質スチル画の合成処理を設定するためのスチル再生ボタン45Ｂ，スチル撮影で得られた画像を検索し表示するスチル自動検索モードを設定するためのスチル自動検索ボタン46，磁気テープ８の早送りボタン47，巻戻しボタン48および一時停止ボタン49が含まれている。操作パネル50に含まれる各種ボタンおよびスイッチの設定信号は，システム・コントローラ10に与えられる。
【００３７】
図２に示す例では１枚の操作パネル50上に各種ボタンおよびスイッチが配置されているが，実際はカメラの操作性を考慮してカメラのキャビネット上に分けて配置されることとなろう。
【００３８】
図３にＣＣＤ（Charge Coupled Device ）を含む撮像光学系が示されている。
【００３９】
ディジタル・ビデオ・テープ・レコーダの撮像光学系には３枚のＣＣＤ14Ｒ，14Ｇおよび14Ｂが含まれている。ＣＣＤ14Ｒ，14Ｇおよび14Ｂはそれぞれ水平方向640 画素垂直方向480 画素の画素数をもつ。ＣＣＤ14Ｒ，14Ｇおよび14Ｂはそれぞれ赤色，緑色および青色の映像信号を出力するもので，それぞれ前方には赤色フィルタ13Ｒ，緑色フィルタ13Ｇおよび青色フィルタ13Ｂが配置されている。
【００４０】
被写体像を表わす光線束は撮像レンズ11によって集光され，プリズム12に導かれる。集光された光線束はプリズム12によって３つの光線束に分けられ，ＣＣＤ14Ｒ，14Ｇおよび14Ｂに入射する。３つに分けられる光線束の光学的距離がそれぞれ等しくなるようにプリズム12が設計されている。
【００４１】
図１を参照して，ディジタル・ビデオ・テープ・レコーダの撮像部は撮像コントローラ20によって制御される。この撮像コントローラ20によってＣＣＤ駆動回路21が制御される。ＣＣＤ駆動回路21によってＣＣＤ14Ｒ，14Ｇおよび14Ｂを含む撮像回路14が制御され，ＣＣＤ14Ｒ，14Ｇおよび14Ｂへの信号電荷の蓄積および掃出しが制御される。これにより，ＣＣＤ14Ｒ，14Ｇおよび14Ｂにそれぞれ蓄積された信号電荷がすべて映像信号として１／60秒（厳密には 1.001／60秒）周期で出力される（全画素読出し）。
【００４２】
ＣＣＤ14Ｒ，14Ｇおよび14Ｂから出力される赤色，緑色および青色の映像信号は信号電荷検出回路15に含まれるＣＤＳ（相関二重サンプリング）回路15Ｒ，15Ｇおよび15Ｂに与えられｋＴＣノイズ成分が除去される。赤色，緑色および青色の映像信号は，アナログ／ディジタル（Ａ／Ｄ）変換ユニット16に含まれるＡ／Ｄ変換回路16Ｒ，16Ｇおよび16Ｂにおいて赤色，緑色および青色のディジタル画像データに変換される。
【００４３】
赤色，緑色および青色のディジタル画像データはＤＳＰ（Disital Signal Processor）17に含まれる色信号処理回路18に与えられる。色信号処理回路18において，入力する赤色，緑色および青色のディジタル画像データから水平方向1280画素垂直方向960 画素の輝度データならびに水平方向320 画素垂直方向960 画素のＲ−ＹおよびＢ−Ｙの色差データが生成される。この輝度データならびにＲ−ＹおよびＢ−Ｙの色差データの生成は次のようにして行なわれる。
【００４４】
図４は赤色，緑色および青色のディジタル画像データによって表わされる画像を同一平面に表わした様子を示している。赤色，緑色および青色の画像データによって表わされる画素は，ここでは水平方向および垂直方向ともに１画素おきに飛び飛びに配置されている。また緑色の画素と赤色および青色の画素とは異なる列および異なる行に配置されている。これらの画素が飛び飛びに設けられている間の画素は，画像データが無く空領域である。この空領域の画素の画像データが生成される。
【００４５】
図５は画素の生成手法を示している。図５においては，符号ａ，ｂ，ｃ，ｄおよびｅが画像データが無い画素であり，符号ｘ1 ，ｘ2 ，ｘ3 およびｘ4 が画像データが存在する画素である。符号ａ，ｂ，ｃ，ｄおよびｅの画素の画像データは次のように生成される。
【００４６】
ａ＝（ｘ1 ＋ｘ2 ）／２
ｂ＝（ｘ1 ＋ｘ3 ）／２
ｃ＝（ｘ1 ＋ｘ2 ＋ｘ3 ＋ｘ4 ）／４
ｄ＝（ｘ2 ＋ｘ4 ）／２
ｅ＝（ｘ3 ＋ｘ4 ）／２
【００４７】
これらの演算により，水平方向640 画素垂直方向480 画素の赤色，緑色および青色の画像データから水平方向および垂直方向ともに倍の画素数をもつ水平方向1280画素垂直方向960 画素の赤色，緑色および青色の画像データが得られる。水平方向1280画素垂直方向960 画素の赤色，緑色および青色の画像データから，水平方向1280画素垂直方向960 画素の輝度データならびにＲ−ＹおよびＢ−Ｙの色差データが生成される。Ｒ−ＹおよびＢ−Ｙの色差データについては水平方向の画素が１／４の画素数となるようにサンプリング処理が行なわれる。これによりＲ−ＹおよびＢ−Ｙの色差データは水平方向320 画素垂直方向960 画素の色差データとなる。色信号処理回路18から出力される輝度データならびにＲ−ＹおよびＢ−Ｙの色差データは画素出力レート切替回路19に与えられる。
【００４８】
画素出力レート切替回路19は，操作パネル50において設定されたモードに応じて画像データの出力方法および画像データ量を変える回路である。
【００４９】
操作パネル50によって高画質スチル画記録モードが設定されているときには，画像データ補間処理が行なわれ，水平方向1280画素垂直方向960 画素の輝度データから図６に示すように水平方向1440画素垂直方向960 画素の輝度データが生成される。これにより従来の１フレーム分（約35万画素）の４倍のデータ量の約140 万画素の輝度データが得られる。この約140 万画素の輝度データは４フレームに分けて画素出力レート切替回路19から出力される。この分け方は次の通りである。
【００５０】
図８は図６に示す画素の輝度データが４フレームに分割される様子を模式的に表わすものである。水平方向および垂直方向とも，図示の便宜上，画素数はきわめて少なく描かれている。図８の上部に示すように，１駒分の輝度データは図６に示す水平方向および垂直方向のすべての画素（水平方向1440画素，垂直方向960 画素）についての画像データを含んでいる。フレーム・メモリ22には，図６に示すすべての画素に対応する輝度データが記憶される。
【００５１】
輝度データのフレーム・メモリ22からの読出しは第１フレームから第４フレームまで４フレームにわたって行なわれる（図８の下部参照）。
【００５２】
第１回目に読出される第１フレームの輝度データおよび第３回目に読出される第３フレームの輝度データは奇数行の画素の輝度データである。これらの奇数行の輝度データは黒三角印と白三角印によって表現されている。黒三角印が奇数列，白三角印が偶数列の輝度データである。第１フレームの輝度データは，奇数列と偶数列の輝度データが垂直方向に交互に繰返すことにより構成される。第３フレームの輝度データは，偶数列の輝度データと奇数列の輝度データとが垂直方向に交互に繰返すことにより構成され，これらは第１フレームに含まれないものである。
【００５３】
第２回目に読出される第２フレームの輝度データおよび第４回目に読出される第４フレームの輝度データは偶数行の画素の輝度データである。これらの偶数行の輝度データは白丸印と黒丸印によって表現されている。白丸印が奇数列，黒丸印が偶数列の輝度データである。第２フレームの輝度データは，奇数列と偶数列の輝度データが垂直方向に交互に繰返すことにより構成される。第４フレームの輝度データは，偶数列の輝度データと奇数列の輝度データとが垂直方向に交互に繰返すことにより構成され，これらは第２フレームに含まれないものである。
【００５４】
このようにして，すべての画素の輝度データが１回のみ，いずれかのフレームにおいて読出されることになる。しかも，各フレームを構成する輝度データの画素は，垂直方向および水平方向に飛び飛びになっていて，どのフレームの輝度データによっても被写体像の全体を表現することができる。
【００５５】
これらの４フレームにわたる画像データの読出しはフレーム・メモリ22のアドレッシングの制御により容易に表現することができる。たとえば，第１フレームの読出しにおいては，垂直アドレスとして奇数行を指定する。水平アドレスとしては，（４ｍ＋１）行のときは奇数列を，（４ｍ＋３）行のときは偶数列を指定するアドレス信号を発生させればよい（ｍ＝０，１，２，…）。１フレーム分の画像データの読出しは１／30秒で行なえばよい。このようなアドレス信号発生はシステム・コントローラ10に行なわせてもよいしカウンタ，分周回路，論理回路等で構成することもできる。
【００５６】
またＲ−ＹおよびＢ−Ｙの色差データについては画素出力レート切替回路19において画素補間処理が行なわれ，水平方向320 画素垂直方向960 画素から図７に示すように水平方向360 画素垂直方向960 画素の色差データが生成され，フレーム・メモリ22に与えられ記憶される。フレーム・メモリ22に記憶された色差データも輝度データと同様に４フレームに分割され，フレーム・メモリ22から読出される。
【００５７】
フレーム・メモリ22は４フレーム分の輝度データならびにＲ−ＹおよびＢ−Ｙの色差データを記憶できるのはいうまでもない。
【００５８】
画素出力レート切替回路19から，４フレームに分割されて出力される輝度データはデータ並び換え回路23に与えられる。またＲ−ＹおよびＢ−Ｙの色差データは所定のデータ量ずつ交互に，画素出力レート切替回路19から出力され，データ並び換え回路23に与えられる。
【００５９】
操作パネル50において，通常スチル画記録モードが設定されているときには，画素出力レート切替回路19において，間引き処理が行なわれ，入力する水平方向1280画素垂直方向960 画素の輝度データから水平方向720 画素垂直方向480 画素の輝度データが生成され，かつ入力する水平方向320 画素垂直方向960 画素の色差データから水平方向180 画素垂直方向480 画素の色差データが生成される。生成された輝度データならびにＲ−ＹおよびＢ−Ｙの色差データはデータ並び換え回路23に与えられる。
【００６０】
操作パネル50によって，ムービ記録モードが設定されているときには，通常スチル画記録モードと同様に一旦水平方向720 画素垂直方向480 画素の輝度データならびに水平方向180 画素垂直方向480 画素のＲ−ＹおよびＢ−Ｙの色差データが生成される。生成された輝度データおよび色差データの画像データのうち，１／60秒の時間がずれた２つの画像データから第１フィールドの画像データと第２フィールドの画像データとが得られる。すなわち最初に得られた画像データのうち奇数行の画像データが第１フィールドの画像データと擬制され，その１／60秒後に得られた画像データのうち偶数行の画像データが第２フィールドの画像データと擬制される。第１フィールドの画像データ（輝度データおよび色差データ）と第２フィールドの画像データとが交互に画素出力レート切替回路19から出力され，データ並び換え回路23に与えられる。
【００６１】
画素出力レート切替回路19から出力された画像データはデータ並び換え回路23を通過してフレーム・メモリ24に与えられ，一旦記憶される。フレーム・メモリ24に記憶された画像データはデータ並び換え回路23に与えられ８×８画素ごとの多数のブロックに分ける処理，その他ディジタル・ビデオ・テープ・レコーダの規格に応じた画像データの並び換え処理が行なわれる。
【００６２】
データ並び換え回路23から出力された画像データは，第１フレームの画像データから順次データ圧縮回路25に与えられる。データ圧縮回路25においてＤＣＴ（Discrete Cosine Transform ）処理，量子化処理などが行なわれることにより，画像データにデータ圧縮が施される。データ圧縮処理回路25において圧縮された画像データは誤り訂正符号付加回路26を介して（単に通過して）フレーム・メモリ28に与えられ一旦記憶される。
【００６３】
フレーム・メモリ28に記憶された画像データは順次誤り訂正符号付加回路26に与えられ，誤り訂正符号が付加される。誤り訂正符号が付加された画像データは再びフレーム・メモリ28に与えられ記憶される。画像データはフレーム・メモリ28から再び読出され誤り訂正符号付加回路26に与えられる。誤り訂正符号付加回路26にはシステム・コントローラ10から補助領域データも与えられている。
【００６４】
補助領域データは，被写体の撮影によって得られたディジタル画像データに関する情報その他の情報を表わすデータである。補助領域記録データの一例が図９(A) および(B) に示されている。図９(A) および(B) に示すように補助領域記録データは，８ビット・データであり，５種類のデータが１つの補助記録領域に記録される。
【００６５】
補助領域データには，ソース・コントロール・パックとソース・パックに加えてメーカ・オプション・データがある。メーカ・オプション・データにはヘッダ，メーカー・コード，ソース・コントロール・パック，オプション・パック・トータル数，記録方式のモード設定，ソース・パック，分割方法，本フレームが何枚めかを表わす情報，表示装置でのデータ表示方法または挿入方法を示す情報，分割された画像データが記録されるビデオ記録領域を表わす記録領域データなどがある。ソース・コントロール・パックはたとえば磁気テープ８に記録されるディジタル画像データのコピーの禁止の有無を表わすデータである。ソース・パックは，たとえばフレーム画のムービ記録とフィールド画のムービ記録との両方のムービ記録が可能な場合にどちらの記録がされているかを示すデータである。
【００６６】
ヘッダは１つの補助記録領域に記録される５種類のデータのうち先頭のデータであり，残りの４種類のデータがどのような種類のデータかを示すデータである。メーカー・コードはどのようなメーカーのディジタル・ビデオ・テープ・レコーダによって記録されたディジタル画像データかを示すコードである。オプション・パック・トータル数は補助記録領域に記録することができる補助領域データの数を示している。記録方式のモード設定は，ディジタル画像データの記録時においてＤＳＰ回路17に設定される画像データ出力モード設定を表わしている。分割方法は，ディジタル画像データの記録時に図８に示すように画像データを分割する場合にどのように分割しているかを表わすものである。本フレームが何枚めかを表わす情報は，１駒を構成する画像データを複数に分割した場合に何番めの画像データかを表わすものである。表示装置でのデータ表示方法，挿入方法は，記録時に画像データを分割した場合において再生時にどのようにして１駒を生成し表示装置に表示するかを示すものである。
【００６７】
これらの補助領域データはシステム・コントローラ10によって生成され，画像データのそれぞれに付加される（補助領域）。図17(B) に示すようにトラック・フォーマットはあらかじめ定められており，補助記録領域Ａ3 の位置も定められている。したがってこの記録位置から補助領域記録データとそのほかのデータとを区別できる。
【００６８】
図８上段に示すような高画質画像から図８下段に示すように，第１フレームの画像を表わす画像データについては本フレームが何枚めかを表わす補助領域データはたとえば図９(B) に示すように「００００００１０」で表わされ，図８下段に示すように，第２フレームの画像を表わす画像データについては本フレームが何枚めかを表わす補助領域記録データはたとえば「０００００００１」で表わされる。
【００６９】
誤り訂正符号付加回路26から出力される画像データは変調回路27に与えられ，符号化（たとえばＮＲＺＩ符号化）されて記録再生増幅回路29に与えられる。記録再生増幅回路29において増幅された画像データは磁気ヘッド30に与えられる。これにより磁気ヘッド30によって磁気テープ８の各トラックのうちビデオ記録領域Ａ2 に画像データが記録され，補助記録領域Ａ3 に補助領域データが記録される。オーディオ・データやトラック情報の記録ももちろん行なわれる。
【００７０】
高画質スチル画記録モードにおいて得られた約140 万画素の画像データ量をもつ画像データ，すなわち４フレーム分の画像データのうち最初の１フレーム分の画像データは，一般的に用いられる35万画素ＣＣＤを用いて被写体を撮影して得られた１フレーム分の画像データのデータ量に相当するから，連続する10個のトラックのビデオ記録領域Ａ2 に記録される。４フレーム分の画像データのうち次の１フレーム分の画像データは，最初の１フレーム分の画像データが既に記録された画像データの次の10個のトラックのビデオ記録領域Ａ2 に記録される。４フレーム分の画像データのうち次の１フレーム分の画像データは，さらに次の10個のトラックのビデオ記録領域Ａ2 に記録され，４フレーム分の画像データのうち最終の１フレーム分の画像データは，さらに次の10個のトラックのビデオ記録領域Ａ2 に記録される。約140 万画素の画像データ量をもつ１駒分の画像データは一般的に用いられる35万画素ＣＣＤを用いて得られた１フレーム分の画像データの４倍のデータ量をもつことから，40トラックを用いて磁気テープ８に記録されることとなる。４フレーム分の記録動作は４フレーム分の撮影動作と同じように１／7.5 秒の周期で行なわれる。
【００７１】
通常スチル画記録モードにおいて得られた約35万画素の画像データ量をもつ画像データおよびムービ記録モードにおいて得られた約35万画素の画像データ量をもつ画像データは，連続する10個のトラックのビデオ記録領域Ａ2 に記録される。
【００７２】
高画質または通常スチル画記録モードによって磁気テープ８に画像データが記録されたときには，サブ・コード領域にスチル画識別符号が記録される。
【００７３】
図１に示すディジタル・ビデオ・テープ・レコーダは，磁気テープ８に記録されたディジタル画像データの再生も可能である。再生モードにはムービ再生モードとスチル自動検索モードとがある。
【００７４】
ディジタル画像データの再生モードにおいて，磁気テープ８に記録された画像データ，補助領域データ，その他のデータが磁気ヘッド31によって読取られ記録再生増幅回路29に与えられる。記録再生増幅回路29において増幅されたデータは復調回路32に与えられる。復調回路32においてデータ復調が行なわれ，誤り訂正回路33を介してフレーム・メモリ28に与えられ一旦記憶される。フレーム・メモリ28に記憶されたデータは読み出され誤り訂正回路33に与えられる。復調回路32において復調されたデータにデータ誤りがあると，誤り訂正回路33において誤り訂正処理が行なわれる。誤り訂正処理が行なわれたデータのうち被写体像を表わすディジタル画像データはデータ伸張回路34に与えられ，補助領域データはシステム・コントローラ10に与えられる。この再生動作も４フレーム分の画像データについて１／7.5 秒の周期で行なわれる。
【００７５】
ムービ再生モードではデータ伸張回路34において，圧縮された画像データのデータ伸張処理が行なわれる。データ伸張回路34においてデータ伸張されたディジタル画像データはデータ並び換え回路35に与えられ，ディジタル・ビデオ・テープ・レコーダの規格に合致した画像データの配列からモニタ表示装置52における表示画像の配列に戻される。
【００７６】
ムービ再生モードにおいては，データ並び換え回路35から出力される画像データはインタフェイス37に与えられるように，データ並び換え回路35がシステム・コントローラ10によって制御される。
【００７７】
データ並び換え回路35から出力されるディジタル画像データはインタフェイス37を介して１フィールドずつモニタ表示装置52に与えられ，動画再生が行なわれる。モニタ表示装置52はディジタル・ビデオ・テープ・レコーダに設けてもよい。
【００７８】
図１に示すディジタル・ビデオ・テープ・レコーダはムービ再生に加えて高画質スチル画再生も可能である。高画質スチル画再生においては，データ並び換え回路35から出力される画像データはＤＳＰ回路36に与えられる。ＤＳＰ回路36にはシステム・コントローラ10から補助領域データも与えられている。システム・コントローラ10から与えられた補助領域データのうち本フレームが何枚めかを表わすデータによってどの画像データを用いることにより完全な１駒の画像を生成できるかがわかり，分割方法を表わすデータにより分割された画像データをどのように組合わせたら完全な１駒の画像を生成できるかがわかる。これらの，本フレームが何枚めかを表わすデータおよび分割方法を表わすデータにもとづいてＤＳＰ回路36において１駒の完全な画像が生成される。これによりたとえば図８下段に示す４つの画像から図８上段に示す１駒の高画質な画像が得られる。
【００７９】
ＤＳＰ回路36において生成された１駒の画像データはインタフェイス37を介してプリンタ51に与えられ，高画質の静止画がプリントされる。
【００８０】
上記においては，一般的なＣＣＤから得られる画像データ量の４倍の画像データ量をもつ画像データを得て，これを４フレームに分割して磁気テープに記録しているが，一般的なＣＣＤから得られる画像データ量の４倍の画像データのみならず任意の整数ｎ倍（ｎ＝２，３，４，５，…）の画素数の画像データ量をもつ画像データを得て１駒分の画像データを得るようにしても良い。この場合は画像データ量に応じて，得られた画像データはｎフレームに分割されて磁気テープに記録されることになる。
【００８１】
また上記においては各回路はハードウェアにより構成されているが，ハードウェア回路の一部を，ソフトウェアによって実現することもできる。
【００８２】
図10は，ムービ記録中に高画質スチル画記録が行なわれるときの処理手順を示すフローチャートであり，図11はそのときの磁気テープ８の記録の様子を示している。
【００８３】
ムービ・スタンバイ・ボタン40がオンとされ，ムービ・スタンバイとされる。ムービ・スタンバイとなっている状態で，ムービ撮影スイッチ41が押されると被写体の撮影が開始する（ステップ61）。これにより上述のように第１フィールドと第２フィールドのフィールド画像データが交互にデータ並び換え回路23に与えられ磁気テープ８に記録されていく。
【００８４】
ムービ記録中に，スチル・シャッタ・ボタン43が半押しされると（ステップ52でYES ），そのタイミングでピントが固定される（ステップ63）。スチル・シャッタ・レリーズ・ボタン43が全押しされると（ステップ64でYES ），被写体像を表わす画像データが上述のようにしてフレーム・メモリ22に記憶される。高画質スチル画記録を行なうときには，スチル・セレクト・スイッチ44により高画質スチル画記録モードが設定される。これにより，ＤＳＰ17において約140 万画素の高画質の画像データが生成され，フレーム・メモリ22に記憶される（ステップ65，66）。
【００８５】
つづいて，ソース・コントロール・パックおよびソース・パックが設定される（ステップ67）。フレーム・メモリ22に記憶されている約140 万画素の高画質スチル画像データが読出される。高画質スチル画像データは，図８に示すようにそれぞれが約35万画素の画像データ量をもちかつ，１駒の画像を表わすように４フレームに分割される。４フレームに分割された画像データは，１フレーム分ずつデータ並び換え回路23に与えられる（ステップ68）。また，設定済であるソース・コントロール・パックおよびソース・パックを除く補助領域データ（メーカ・オプション・データ）が設定される（ステップ69）。設定された補助領域データは誤り訂正符号付加回路26において，４フレームに分割された画像データのそれぞれに付加される。
【００８６】
高画質スチル画記録モードにおいては，同一のスチル画像を40駒記録する。これはムービ再生中におけるスチル画の検索を容易にするためである。高画質スチル画記録モードにおいては１駒分の約140 万画素の画像データを磁気テープ８に記録するのに４フレーム分の40トラック用いるから，同一のスチル画像を40駒記録するのに160 フレーム分の1600トラック用いる。40駒の記録が終るまで画像データの記録が繰返される（ステップ70）。
【００８７】
40駒の記録が終了すると（ステップ70でYES ），ムービ記録に復帰するためにムービ記録モードのコマンドが撮像コントローラ20に与えられる（ステップ71）。ムービ記録モードにおいて得られる画像データについてのソース・コントロール・パックおよびソース・パックが設定され（ステップ72），高画質スチル画像データについての補助領域データの設定は終了する（ステップ73）。もちろん，ムービ記録モードにより得られた画像データについての補助領域データの設定はムービ記録が行なわれている間中続けられ，設定された補助領域データは画像データに付加される。
【００８８】
ムービ撮影スイッチ41がオフとされるまで図10に示す処理は続けられる（ステップ74）。
【００８９】
図10に示す処理により，図11に示すようにムービ記録中に高画質のスチル画像データが記録される。
【００９０】
図12はディジタル・ビデオ・カメラをスチル・ビデオ・カメラとして用いる場合の処理手順を示すフローチャートである。図12において図10に示す処理と同一の処理には同一符号を付して説明を省略する。図13はディジタル・ビデオ・カメラをスチル・ビデオ・カメラとして用いた場合の磁気テープ８の記録の様子を示している。
【００９１】
スチル・シャッタ・レリーズ・ボタン43が全押しされることにより，スチル・セレクト・スイッチ44により指定されたモード（高画質スチル画記録モードまたは通常スチル画記録モード）に応じたデータ量をもつ画像データがフレーム・メモリ22に記憶される。ここではスチル・セレクト・スイッチ44により高画質スチル画記録モードが設定されているものとする。
【００９２】
スチル・ビデオ・カメラとして用いる場合，撮影前は磁気テープ８は停止しており，磁気テープ８を駆動するモータも停止している。この駆動モータは回転を開始してから正常な回転となるまで，少し時間が必要である。このためスチル・シャッタ・レリーズ・ボタン43が全押しされると画像データを磁気テープ８に記録する前に駆動機構コントローラ38に駆動コマンドが与えられ駆動モータの回転が開始する（ステップ75）。また，磁気テープ８の再生が行なわれ，磁気テープ８のサブコード記録領域に記録されている絶対トラック番号が読取られる。読取られた絶対トラック番号にもとづいて最後に画像データが記録されたトラックが検索される（ステップ76）。
【００９３】
40駒分のスチル画の画像データが磁気テープ８に記録されると（ステップ70でYES ），駆動機構コントローラ38に停止コマンドが与えられ，磁気テープ８の駆動モータが停止する（ステップ77）。次のスチル画の記録が行なわれる場合に駆動モータが正常回転とならないうちに磁気テープ８が移送され，空トラックが生じることを防止するため，駆動モータが正常回転となったときに次の空トラックに磁気ヘッド18が位置決めされるように，磁気テープ８が少し巻戻される。
【００９４】
図12に示す処理により，図13に示すようにスチル画像データが記録される。
【００９５】
図14はムービ再生を行ない，プリントする画像を検索してプリントするときの処理手順を示すフローチャートである。
【００９６】
まず所望の磁気テープ８が，ディジタル・ビデオ・テープ・レコーダにセットされる。ムービ再生スイッチ45Ａがオンとされ，磁気テープ８に記録された画像データが磁気ヘッド31によって読取られる。読取られた画像データは復調回路32における復調などの再生処理が行なわれ（ステップ81），モニタ表示装置52に与えられる。これによりモニタ表示装置52の表示画面上にムービ画像が表示される（ステップ82）。
【００９７】
モニタ表示装置52に表示されたムービ画像を見ながら，プリントする画像がユーザによって見つけ出される（ステップ83）。必要に応じて早送りボタン47または巻戻しボタン48が押され，早送りムービ再生または巻戻しムービ再生が行なわれる。プリントする画像がユーザによって見つけ出されると，一時停止ボタン49が押される。これにより所望の画像がモニタ表示装置52の表示画面上に停止した状態で表示される。停止して表示されている画像の一部には，その画像が高画質スチル画撮影モードによって磁気テープ８に記録されたものか，通常スチル画撮影モードによって磁気テープ８に記録されたものか，ムービ撮影モードによって磁気テープ８に記録されたものかを表わす撮影モードも表示される。ユーザは撮影モードを見ることにより，モニタ表示装置52に表示されている画像の画質をチェックすることができる。
【００９８】
モニタ表示装置52に表示されている画像の画質が満足できる場合には，ユーザによってプリンタ51からディジタル・ビデオ・テープ・レコーダにプリント指令が与えられる（ステップ84でYES ）。モニタ表示装置52に表示されている画像の画質が満足できない場合には，早送りボタン47または巻戻しボタン48が押され所望の画質をもつ画像が見つけ出される。プリンタ51からディジタル・ビデオ・テープ・レコーダに与えられたプリント指令はインタフェイス37を介してシステム・コントローラ10に入力する。
【００９９】
サブコード領域に記録されているスチル画識別符号が読取られ，高画質スチル画記録かどうか判断される（ステップ85）。モニタ表示装置52に表示されている画像が高画質スチル画撮影モードによって磁気テープ８に記録されたものであれば（ステップ85でYES ），１駒の高画質画像が４フレームに分割されて記録されているから，スチル再生ボタン45Ｂが押されＤＳＰ回路36において画像合成処理が行なわれる（スチル再生モード）（ステップ86）。この画像合成処理は図15に示すように４つのフレーム画像データから１駒の高画質の画像データが生成されることにより行なわれる。モニタ表示装置52に表示されている画像が通常スチル画撮影モードまたはムービ撮影モードにより磁気テープ８に記録されたものであれば（ステップ85でNO），画像合成処理は行なわれない。生成された高画質の画像データ，通常スチル画撮影モードにより得られたフレーム画像データまたはムービ撮影モードにより得られたフィールド画像データはプリンタ51に与えられプリントされる（ステップ87）。ムービ再生スイッチ45がオフとされることにより，ムービ再生は終了する。
【０１００】
図16はスチル自動検索再生モードにおける処理手順を示すフローチャートである。
【０１０１】
スチル自動検索再生モードは，高画質または通常のスチル画撮影によって磁気テープ８に記録された画像データを検出し，その画像データによって表わされる画像のみを一定期間表示し，ムービ撮影によって磁気テープ８に記録された画像データについては早送りするモードである。
【０１０２】
所望の磁気テープ８がディジタル・ビデオ・テープ・レコーダにセットされスチル自動再生スイッチ46が押されると，ムービ再生が行なわれる（ステップ91）。ムービ再生において，サブコード領域にスチル画識別符号が記録されているトラックが検索される（ステップ92）。サブコード領域にスチル画識別符号が記録されているトラックの画像データが一定期間順次モニタ表示装置52に与えられ，スチル画撮影の画像が表示される（ステップ93）。
【０１０３】
モニタ表示装置52の表示画面上に順次表示される画像を見ながら，プリントする画像がユーザによって見つけ出される（ステップ94）。プリントする画像が見つかると一時停止ボタン49が押される。モニタ表示装置52に表示されている画像が，高画質プリント画撮影モードにより得られた場合にはスチル再生ボタン45Ｂが押されＤＳＰ回路36において，図15に示すように画像データの生成処理が行なわれる（スチル再生モード）（ステップ96，97）。
【０１０４】
生成された高画質の画像データまたは通常スチル画撮影モードにより得られたフレーム画像データはプリンタ51に与えられ，プリントされる（ステップ98）。
【０１０５】
上記においてはスチル再生ボタン45Ｂが押されることにより，ＤＳＰ回路36において高画質スチル画の合成処理が行なわれているが，スチル再生ボタン45Ｂを設けずプリンタからの高画質スチル画のプリント指令に応じて高画質スチル画の合成処理を行なってもよい。
【０１０６】
図18は，他の実施例を示すもので，ディジタル・ビデオ・テープ・レコーダの電気的構成を示すブロック図である。この図において図１に示すものと同一物には同一符号を付して説明を省略する。
【０１０７】
図１に示すディジタル・ビデオ・テープ・レコーダにおいては撮像素子として３枚のＣＣＤ（Ｒ−ＣＣＤ14Ｒ，Ｇ−ＣＣＤ14ＧおよびＢ−ＣＣＤ14Ｂ）が用いられているが，図18に示すディジタル・ビデオ・テープ・レコーダにおいては撮像素子として単枚のＣＣＤ４が用いられている。ＣＣＤ４は，水平方向1440画素，垂直方向480 画素の約70万画素の画素数をもつものであり，35万画素ＣＣＤの２倍の量の画像データが得られる。このような70万画素ＣＣＤ４から得られる１フレーム分の画像データのデータ量は，35万画素ＣＣＤの２フレーム分の画像データのデータ量に相当する。
【０１０８】
この実施例のディジタル・ビデオ・テープ・レコーダではＣＣＤ４から得られる１駒分の画像データを２フレーム分の画像データに分け，各１フレーム分をそれぞれ10トラックずつを用いて磁気テープ８に記録することにより，高画質撮影を達成しつつ，ディジタル・ビデオ・テープ・レコーダの従来からの記録規格に合致した画像データの記録を可能とする。
【０１０９】
高画質スチル画撮影モードにおいて，約70万画素の画素数をもつＣＣＤ12によって１／15秒の一定周期で被写体が連続的に撮影される。撮影のためのシャッタ速度が適当（たとえば１／60秒，または必要に応じてこれよりも短い時間）になるように，いわゆる電子シャッタ制御により定められる。ＣＣＤ４から１／15秒ごとに被写体像を表わす映像信号が出力されＤＳＰ（Digital Signal Processor）回路５に与えられる。ＤＳＰ回路５はＣＣＤ４から与えられる映像信号をディジタル画像データに変換するアナログ／ディジタル変換処理および１駒分の画像データを２フレーム分の画像データに分ける処理を行なう。この分け方は次の通りである。
【０１１０】
図19(A) ，(B) および(C) はＣＣＤ４における画素配列およびこれらの画素の画像データが２フレームに分割される様子を模式的に表わすものである。水平方向および垂直方向とも，図示の便宜上，画素数はきわめて少なく描かれている。また，配列方式（モザイク，ストライプ，デルタ等）はここでは問わない。図19(A) に示すように，ＣＣＤ11から出力されかつＡ／Ｄ変換された１駒分の画像データはＣＣＤ12の水平方向および垂直方向のすべての画素（水平方向720 画素，垂直方向480 画素）についての画像データを含んでいる。
【０１１１】
ＤＳＰ回路５において，１フレーム分ずつ２回に分けて画像データの読出しが行なわれる。
【０１１２】
第１回めに読出される第１フレームの画像データは奇数列の画素の画像データである。これらの奇数列の画素の画像データは白丸印によって表現されている。読出された画像データによって表わされる画素が図19(B) に示されている。第２回めに読出される第２フレームの画像データは偶数列の画像データである。これらの偶数列の画素の画像データは黒丸印によって表現されている。読出された画像データによって表わされる画素が図19(C) に示されている。
【０１１３】
すべての画素の画像データが１回のみ，いずれかのフレームにおいて読出されることになる。しかも，各フィールドを構成する画像データの画素は，水平方向に飛び飛びになっていて，いずれのフレームの画像データによっても被写体像の全体を表現できる。
【０１１４】
ＤＳＰ５において２フレームに分けられた画像データはデータ並び換え回路23における並び換え処理などが行なわれ，磁気テープ８に記録される。
【０１１５】
70万画素のＣＣＤ４を用いて得られた１駒分の画像データ，すなわち２フレーム分の画像データのうち最初の１フレーム分の画像データは，一般的に用いられる35万画素ＣＣＤを用いて被写体を撮影して得られた１フレーム分の画像データのデータ量に相当するから，連続する10個のトラックのビデオ記録領域Ａ2 に記録される。２フレーム分の画像データのうち残りの１フレーム分の画像データは，最初の１フレーム分の画像データが既に記録された画像データの次の10個のトラックのビデオ記録領域Ａ2 に記録される。70万画素ＣＣＤ４を用いて得られた１駒分の画像データは，一般的に用いられる35万画素ＣＣＤを用いて得られた１フレーム分の画像データの２倍のデータ量をもつことから，20トラックを用いて磁気テープ８に記録されることとなる。２フレーム分の記録動作は２フレーム分の撮影動作と同じように１／15秒の周期で行なわれる。
【０１１６】
図18に示すディジタル・ビデオ・テープ・レコーダにおいても高画質スチル画撮影モードに加えて通常スチル画撮影モードの撮影ができる。通常スチル画撮影モードにおいては，図19(A) に示すように約70万画素の画像データから図19(B) または図19(C) に示す約35万画素の画像データが得られ，いずれか一方の画像データが磁気テープ８の10トラックにわたって記録される。
【０１１７】
図18に示すディジタル・ビデオ・テープ・レコーダは図１に示すディジタル・ビデオ・テープ・レコーダと同様に，磁気テープ８に記録されたディジタル画像データの再生も可能である。このディジタル・ビデオ・テープ・レコーダの画像データの再生においても，ムービ再生とスチル再生とが可能である。スチル再生においては高画質スチル画撮影モードにおいて磁気テープ８に記録された画像データにおいては図19(B) および(C) から図19(A) に示すように画像データ生成処理が行なわれる。プリントする所望の画像が見つけられると，プリンタ51からディジタル・ビデオ・テープ・レコーダに与えられるプリント指令にしたがってプリントされる。
【０１１８】
図18に示すディジタル・ビデオ・テープ・レコーダにおいては従来の約35万画素の２倍の画素数（約70万画素）をもつＣＣＤ４が用いられているがｎ（ｎ＝３，４，…）倍の画素数をもつＣＣＤを用いることができるのはいうまでもない。そのときには画素数に応じて画像分割処理が行なわれる。
【図面の簡単な説明】
【図１】ディジタル・ビデオ・テープ・レコーダの電気的構成を示すブロック図である。
【図２】操作パネルを示している。
【図３】撮像光学系とＣＣＤとの関係を示している。
【図４】３枚のＣＣＤにより得られる赤色，緑色および青色の画像データによって表わされる画素を同一平面上に示している。
【図５】補間する画素の生成方法を示している。
【図６】高画質スチル画撮影モードによって得られる輝度データによって表わされる画像を示している。
【図７】高画質スチル画撮影モードによって得られる色差データによって表わされる画像を示している。
【図８】画像の分割方法を示している。
【図９】  (A) および(B) は補助領域データを示している。
【図１０】ムービ撮影における画像データの記録中に，高画質スチル画撮影を行なう場合の処理手順を示している。
【図１１】ムービ撮影における画像データの記録中に高画質スチル画撮影を行なった場合の磁気テープの様子を示している。
【図１２】スチル画記録モードの処理手順を示している。
【図１３】高画質スチル画記録モードにより画像データが記録された磁気テープの様子を示している。
【図１４】ムービ再生を行ない，プリントする画像を検索し，プリントする処理手順を示している。
【図１５】高画質画像データの生成処理を示している。
【図１６】スチル自動検索再生モードの処理手順を示している。
【図１７】  (A) は磁気テープのフォーマットを示し，(B) はトラック・フォーマットを示している。
【図１８】他の実施例を示すもので，ディジタル・ビデオ・テープ・レコーダの電気的構成を示すブロック図である。
【図１９】  (A) ，(B) および(C) は画像データによって表わされる画素を模式的に表わしている。
【符号の説明】
４，14Ｒ，14Ｇ，14Ｂ  ＣＣＤ
５，17，36  ＤＳＰ
８  磁気テープ
10  システム・コントローラ
20  撮像コントローラ
【図１】
0003696678.tif 000002
【図２】
0003696678.tif 000003
【図３】
0003696678.tif 000004
【図４】
0003696678.tif 000005
【図５】
0003696678.tif 000006
【図６】
0003696678.tif 000007
【図７】
0003696678.tif 000008
【図８】
0003696678.tif 000009
【図９】
0003696678.tif 000010
【図１０】
0003696678.tif 000011
【図１１】
0003696678.tif 000012
【図１２】
0003696678.tif 000013
【図１３】
0003696678.tif 000014
【図１４】
0003696678.tif 000015
【図１５】
0003696678.tif 000016
【図１６】
0003696678.tif 000017
【図１７】
0003696678.tif 000018
【図１８】
0003696678.tif 000019
【図１９】
0003696678.tif 000020